(57)【要約】【課題】被照射者の眼の開閉状態の如何に関わらず、被照射者に光刺激を付与して被照射者の覚醒を効果的に促すことができる照明装置を提供する。【解決手段】複数の光源を備える照明装置において、前記複数の光源は、５８０ｎｍ以上の波長域である第１の波長域の分光成分を有する光を発する第１の光源１１と、５８０ｎｍ以下の波長域である第２の波長域の分光成分を有する光を発する第２の光源１２とを含んでおり、瞼の光透過率が５８０ｎｍ以下の波長域において低く、５８０ｎｍ以上の波長域において高くなるから、例えば、被照射者が閉眼状態にあるときに瞼の光透過率の高い波長域の光を発する第１の光源１１を点灯させ、開眼状態にあるときにメラトニンの分泌抑制の効果の高い波長域の光を発する第２の光源１２を点灯させることにより、被照射者の眼の開閉状態の如何に関わらず、被照射者に光刺激を付与して被照射者の覚醒を効果的に促すことが可能となる。【選択図】図１
2009266484.tif 000002
【特許請求の範囲】
【請求項１】
複数の光源を備える照明装置において、前記複数の光源は、５８０ｎｍ以上の波長域である第１の波長域の分光成分を有する光を発する第１の光源と、５８０ｎｍ以下の波長域である第２の波長域の分光成分を有する光を発する第２の光源とを含むことを特徴とする照明装置。
【請求項２】
閉眼時に照射することにより光刺激を付与し開眼を促す第１の波長域の分光成分を有する光と、開眼時に照射することにより光刺激を付与し覚醒を促す第２の波長域の分光成分を有する光を発する光源を備え、
前記２つの波長域の光の少なくとも１つ選択して照明することにより、被照射者の眼の開閉状態に関わらず、被照射者に光刺激を付与して覚醒を促すことを特徴とする照明装置。
【請求項３】
前記第１の波長域は、７００ｎｍ近傍の波長域であることを特徴とする請求項１又は２に記載の照明装置。
【請求項４】
前記第１の波長域は、５８０〜６３０ｎｍの波長域であることを特徴とする請求項１又は２に記載の照明装置。
【請求項５】
前記第２の波長域は、４６４ｎｍ近傍の波長域であることを特徴とする請求項１又は２に記載の照明装置。
【請求項６】
前記第１及び第２の波長域夫々の光量を制御する制御手段を備え、該制御手段は、前記第１及び／又は第２の波長域の光が照射される被照射者の眼の開閉状態に応じて前記第１及び／又は第２の波長域の光量を制御するようにしてあることを特徴とする請求項１から５の何れか一つに記載の照明装置。
【請求項７】
前記被照射者の眼の開閉状態を検出する検出手段を備え、前記制御手段は、該検出手段により検出された開眼／閉眼状態に応じて前記第２／第１の波長域の光量を増加させるようにしてあることを特徴とする請求項６に記載の照明装置。
【請求項８】
前記制御手段は、前記検出手段により少なくとも一人の被照射者の閉眼状態が検出されたとき、前記第１の波長域の光量を増加させるようにしてあることを特徴とする請求項７に記載の照明装置。
【請求項９】
前記第１及び第２の波長域夫々の光量を制御する制御手段と、設定された時間の到来を報知するアラーム信号を出力する時計手段とを備え、前記制御手段は、前記時計手段による時間情報及びアラーム信号に基づいて前記第１及び／又は第２の波長域の光量を制御するようにしてあることを特徴とする請求項１から５の何れか一つに記載の照明装置。
【請求項１０】
前記制御手段は、前記時計手段によるアラーム信号に基づいて定められた第１時間帯及び第２時間帯に応じて少なくとも前記第１及び第２の波長域の分光成分を含むように前記光源を点灯させるようにしてあることを特徴とする請求項９に記載の照明装置。
【請求項１１】
前記第１及び／又は第２の波長域の光量を任意に変化させるべく、刺激信号を発生する刺激信号発生手段を備え、前記制御手段は、該刺激信号発生手段による刺激信号に応じて前記第１及び／又は第２の波長域の光量を制御するようにしてあることを特徴とする請求項１から１０の何れか一つに記載の照明装置。
【請求項１２】
前記制御手段は、前記検出手段により閉眼状態が検出されたときに、前記刺激信号発生手段に刺激信号を発生させるようにしてあることを特徴とする請求項１１に記載の照明装置。
【請求項１３】
前記制御手段は、前記時計手段によるアラーム信号に基づいて前記刺激信号発生手段に刺激信号を発生させるようにしてあることを特徴とする請求項１２に記載の照明装置。
【請求項１４】
前記刺激信号発生手段による刺激信号が１／ｆゆらぎ信号であることを特徴とする請求項１１から１３の何れか一つに記載の照明装置。
【請求項１５】
前記制御手段は、１／ｆゆらぎ信号に応じて前記第１の波長域の光量を制御するようにしてあることを特徴とする請求項１４に記載の照明装置。
【請求項１６】
前記制御手段は、総光量が略一定になるように前記第１及び第２の波長域の光量を制御するようにしてあることを特徴とする請求項１から１５の何れか一つに記載の照明装置。
【請求項１７】
前記刺激信号発生手段は、１／ｆゆらぎ信号及び白色雑音信号の刺激信号を発生するようにしてあり、前記制御手段は、１／ｆゆらぎ信号及び白色雑音信号に応じて前記第２及び第１の波長域の光量を夫々制御するようにしてあることを特徴とする請求項１３又は１４に記載の照明装置。
【発明の詳細な説明】
【技術分野】
【０００１】
本発明は、複数の波長域夫々の光量を制御して人の覚醒を効果的に促すことができる照明装置に関する。
【背景技術】
【０００２】
人の代表的な生体リズムである睡眠と覚醒のリズムには、脳の松果体から分泌されるホルモンであるメラトニンの分泌が大きく寄与していることが知られている。メラトニンは、一般に、夜間の就寝２時間位前から睡眠前半の時間帯に大量に分泌され、この分泌により体温の低下及び入眠が促されると考えられている。このメラトニンの分泌は光刺激が人の網膜上の光受容体に与えられることにより抑制されることが知られており、例えば、非特許文献１にて報告されている（図２９参照）。図２９は、夜間の受光によるメラトニンの分泌抑制の波長特性を示す図である。図２９の横軸は波長（ｎｍ）を、縦軸はメラトニンの分泌抑制の相対感度を夫々示しており、図に示す如く、特に４６４ｎｍ近傍の波長域の光がメラトニンの分泌抑制に対して支配的であることがわかる。
【０００３】
近年、住宅、オフィス、病院等の室内の照明に用いられる照明装置として、明るく周囲を照らす視認性のみではなく、このような光が生体リズムに与える影響を考慮した生体リズム調整の機能を有することが望まれており、４６４ｎｍ近傍の波長域の光を発するように構成された照明装置が種々提案されている（例えば、特許文献１参照）。
【０００４】
特許文献１に開示された照明装置は、メラトニンの分泌を抑制すべく、相関色温度が６０００Ｋ以上であり、また床面での平均照度が２０００ルクス以上である光を照射することが可能なように構成してある。このように高相関色温度、換言すると４６４ｎｍ近傍の波長域の分光成分を多く含む高照度の照明光を起床後の被照射者に照射することにより、メラトニンの分泌抑制の効果を高くすることができ、覚醒レベルを昼間の安定した状態に早く変移させることができる。
【特許文献１】特開平６−３１４５９５号公報
【非特許文献１】Ｇｅｏｒｇｅ  Ｃ．  Ｂｒａｉｎａｒｄ，  ｅｔ  ａｌ．：  “Ａｃｔｉｏｎ  Ｓｐｅｃｔｒｕｍ  ｆｏｒ  Ｍｅｌａｔｏｎｉｎ  Ｒｅｇｕｌａｔｉｏｎ  ｉｎ  Ｈｕｍａｎｓ：  Ｅｖｉｄｅｎｃｅ  ｆｏｒ  ａ  Ｎｏｖｅｌ  Ｃｉｒｃａｄｉａｎ  Ｐｈｏｔｏｒｅｃｅｐｔｏｒ”，  Ｔｈｅ  Ｊｏｕｒｎａｌ  ｏｆ  Ｎｅｕｒｏｓｃｉｅｎｃｅ，  Ａｕｇｕｓｔ  １５，  ２００１，  ２１（１６），  ｐ．６４０５−６４１２．
【非特許文献２】Ｊ．Ｒｏｂｉｎｓｏｎ，  ｅｔ  ａｌ．：  “Ｔｒａｎｓｍｉｓｓｉｏｎ  ｏｆ  ｌｉｇｈｔ  ａｃｒｏｓｓ  ｔｈｅ  ａｄｕｌｔ  ａｎｄ  ｎｅｏｎａｔａｌ  ｅｙｅｌｉｄ  ｉｎ  ｖｉｖｏ”，  Ｖｉｓｉｏｎ  Ｒｅｓｅａｒｃｈ，  １９９１，  Ｖｏｌ．３１，  Ｉｓｓｕｅ  １０，  ｐ．１８３７−４０．
【発明の開示】
【発明が解決しようとする課題】
【０００５】
ところで、人の瞼の光透過率は光の波長により異なっており、例えば非特許文献２の論文にて報告されている（図３０参照）。図３０は、瞼の光透過率の波長特性を示す図である。図３０の横軸は波長（ｎｍ）を、縦軸は瞼の光透過率（％）を夫々示しており、図中の黒菱形は新生児の瞼の光透過率を、白抜き四角は成人の瞼の光透過率を夫々示している。図３０により５８０ｎｍ以下の波長域の光は瞼をほとんど透過しないことがわかる。
【０００６】
特許文献１の照明装置のようにメラトニンの分泌抑制の効果が高い４６４ｎｍ近傍の波長域の光を用いても、被照射者が閉眼状態にある場合は、図３０に示すように瞼の光透過率が低いため、瞼を透過する光量が少なく被照射者の網膜上の光受容体に光刺激を殆ど与えることができないから、メラトニンの分泌抑制の効果が十分得られないという問題があった。
【０００７】
本発明は斯かる事情に鑑みてなされたものであり、被照射者の眼の開閉状態の如何に関わらず、被照射者に光刺激を付与して被照射者の覚醒を効果的に促すことができる照明装置を提供することを目的とする。
【課題を解決するための手段】
【０００８】
本発明に係る照明装置は、複数の光源を備える照明装置において、前記複数の光源は、５８０ｎｍ以上の波長域である第１の波長域の分光成分を有する光を発する第１の光源と、５８０ｎｍ以下の波長域である第２の波長域の分光成分を有する光を発する第２の光源とを含むことを特徴とする。
【０００９】
本発明にあっては、５８０ｎｍ以上の波長域である第１の波長域の分光成分を有する光を発する第１の光源と、５８０ｎｍ以下の波長域である第２の波長域の分光成分を有する光を発する第２の光源とを備えており、瞼の光透過率が５８０ｎｍ以下の波長域において低く、５８０ｎｍ以上の波長域において高くなるから、例えば、被照射者が閉眼状態にあるときに瞼の光透過率の高い波長域の光を発する第１の光源を点灯させ、開眼状態にあるときにメラトニンの分泌抑制の効果の高い波長域の光を発する第２の光源を点灯させることにより、被照射者の眼の開閉状態の如何に関わらず、被照射者に光刺激を付与して被照射者の覚醒を効果的に促すことが可能となる。
【００１０】
本発明に係る照明装置は、閉眼時に照射することにより光刺激を付与し開眼を促す第１の波長域の分光成分を有する光と、開眼時に照射することにより光刺激を付与し覚醒を促す第２の波長域の分光成分を有する光を発する光源を備え、前記２つの波長域の光の少なくとも１つ選択して照明することにより、被照射者の眼の開閉状態に関わらず、被照射者に光刺激を付与して覚醒を促すことを特徴とする。
【００１１】
本発明にあっては、閉眼時に照射することにより光刺激を付与し開眼を促す第１の波長域の分光成分を有する光と、開眼時に照射することにより光刺激を付与し覚醒を促す第２の波長域の分光成分を有する光を発する光源を用いて、該光源の２つの波長域の光のうち少なくとも１つを選択して照明しており、被照射者の眼の開閉状態に応じて２つの波長域の光を適切に選択することにより、被照射者が閉眼状態にあるときに瞼の光透過率の高い光刺激を被照射者に付与して被照射者の開眼を促すとともに、開眼状態にあるときにメラトニンの分泌抑制の効果の高い光刺激を被照射者に付与して被照射者を十分に覚醒させることができ、被照射者の覚醒を効果的に促すことが可能となる。
【００１２】
本発明に係る照明装置は、前記第１の波長域は、７００ｎｍ近傍の波長域であることを特徴とする。
【００１３】
本発明にあっては、第１の波長域を７００ｎｍ近傍の波長域にしており、該波長域において瞼の光透過率が高くなっているから、被照射者が閉眼状態にあるときに第１の波長域の分光成分を多く含むように光源を点灯させることにより、被照射者に十分な光刺激を付与することができ、被照射者の覚醒を効果的に促すことが可能となる。
【００１４】
本発明に係る照明装置は、前記第１の波長域は、５８０〜６３０ｎｍの波長域であることを特徴とする。
【００１５】
本発明にあっては、第１の波長域を５８０〜６３０ｎｍの波長域にしており、該波長域において瞼の光透過率を考慮した分光視感効率が高くなるから、被照射者が閉眼状態にあるときに第１の波長域の分光成分を多く含むように光源を点灯させることにより、被照射者に十分な光刺激を付与することができ、被照射者の覚醒を効果的に促すことが可能となる。
【００１６】
本発明に係る照明装置は、前記第２の波長域は、４６４ｎｍ近傍の波長域であることを特徴とする。
【００１７】
本発明にあっては、第２の波長域を４６４ｎｍ近傍の波長域にしており、該波長域においてメラトニンの分泌抑制の効果が高くなっているから、被照射者が開眼状態にあるときに第２の波長域の分光成分を多く含むように光源を点灯させることにより、被照射者の覚醒を効果的に促すことが可能となる。
【００１８】
本発明に係る照明装置は、前記第１及び第２の波長域夫々の光量を制御する制御手段を備え、該制御手段は、前記第１及び／又は第２の波長域の光が照射される被照射者の眼の開閉状態に応じて前記第１及び／又は第２の波長域の光量を制御するようにしてあることを特徴とする。
【００１９】
本発明にあっては、被照射者の眼の開閉状態に応じて前記第１及び／又は第２の波長域の光量を制御しており、例えば、被照射者が閉眼状態にあるときに第１の波長域の分光成分を多く含むように光源を点灯させ、被照射者が開眼状態にあるときに第２の波長域の分光成分を多く含むように光源を点灯させることにより、被照射者が閉眼状態にあるときに瞼の光透過率の高い光刺激を被照射者に付与して被照射者の開眼を促すとともに、開眼状態にあるときにメラトニンの分泌抑制の効果の高い光刺激を被照射者に付与して被照射者を十分に覚醒させることができ、被照射者の覚醒を効果的に促すことが可能となる。
【００２０】
本発明に係る照明装置は、前記被照射者の眼の開閉状態を検出する検出手段を備え、前記制御手段は、該検出手段により検出された開眼／閉眼状態に応じて前記第２／第１の波長域の光量を増加させるようにしてあることを特徴とする。
【００２１】
本発明にあっては、被照射者の眼の開閉状態を検出して、検出結果に基づいて、閉眼状態のときは第１の波長域の光量を増加させ、開眼状態のときは第２の波長域の光量を増加させており、被照射者が閉眼状態にあるときに瞼の光透過率の高い光刺激を被照射者に付与して被照射者の開眼を促すとともに、開眼状態にあるときにメラトニンの分泌抑制の効果の高い光刺激を被照射者に付与して被照射者を十分に覚醒させることができ、被照射者の覚醒を効果的に促すことができる。
【００２２】
本発明に係る照明装置は、前記制御手段は、前記検出手段により少なくとも一人の被照射者の閉眼状態が検出されたとき、前記第１の波長域の光量を増加させるようにしてあることを特徴とする。
【００２３】
本発明にあっては、少なくとも一人の被照射者の閉眼状態が検出されたとき、第１の波長域の光量を増加させており、複数のうち一人でも閉眼状態にあるときに瞼の光透過率の高い光刺激を閉眼状態の被照射者に付与して該被照射者の開眼を促すことができる。
【００２４】
本発明に係る照明装置は、前記第１及び第２の波長域夫々の光量を制御する制御手段と、設定された時間の到来を報知するアラーム信号を出力する時計手段とを備え、前記制御手段は、前記時計手段による時間情報及びアラーム信号に基づいて前記第１及び／又は第２の波長域の光量を制御するようにしてあることを特徴とする。
【００２５】
本発明にあっては、時計手段による時間情報及びアラーム信号に基づいて第１及び第２の波長域夫々の光量を制御しており、例えば、第１の波長域の分光成分を含むように光源を点灯させたのち第２の波長域の分光成分を含むように光源を点灯させることにより、最初に瞼の光透過率の高い光刺激を被照射者に付与したのち次にメラトニンの分泌抑制の効果の高い光刺激を被照射者に付与することになるから、強い光刺激により被照射者の開眼を促したのちに、メラトニンの分泌抑制の効果の高い光刺激を被照射者に付与して十分に覚醒させることができ、被照射者の覚醒を効果的に促すことが可能となる。
【００２６】
本発明に係る照明装置は、前記制御手段は、前記時計手段によるアラーム信号に基づいて定められた第１時間帯及び第２時間帯に応じて少なくとも前記第１及び第２の波長域の分光成分を含むように前記光源を点灯させるようにしてあることを特徴とする。
【００２７】
本発明にあっては、時計手段によるアラーム信号に基づいて第１時間帯及び第２時間帯を定め、第１時間帯には第１の波長域の分光成分を、第２時間帯には第２の波長域の分光成分を少なくとも含むように光源を点灯させており、最初に瞼の光透過率の高い光刺激を被照射者に付与したのちにメラトニンの分泌抑制の効果の高い光刺激を被照射者に付与することになるから、被照射者を開眼状態にしたのちに十分に覚醒させることができ、被照射者の覚醒を効果的に促すことができる。
【００２８】
本発明に係る照明装置は、前記第１及び／又は第２の波長域の光量を任意に変化させるべく、刺激信号を発生する刺激信号発生手段を備え、前記制御手段は、該刺激信号発生手段による刺激信号に応じて前記第１及び／又は第２の波長域の光量を制御するようにしてあることを特徴とする。
【００２９】
本発明にあっては、刺激信号発生手段により刺激信号を発生し、該刺激信号に応じて第１及び／又は第２の波長域の光量を任意に変化させており、第１及び／又は第２の波長域の光量がランダムに変化するから、被照射者の眼が光刺激に慣れず、被照射者の覚醒を効果的に促すことができる。
【００３０】
本発明に係る照明装置は、前記制御手段は、前記検出手段により閉眼状態が検出されたときに、前記刺激信号発生手段に刺激信号を発生させるようにしてあることを特徴とする。
【００３１】
本発明にあっては、閉眼状態が検出されたときに刺激信号を発生させるようにしており、ランダムに変化する高光透過率の光刺激が被照射者に付与されることになるから、被照射者の眼が光刺激に慣れず、被照射者の覚醒を効果的に促すことができる。
【００３２】
本発明に係る照明装置は、前記制御手段は、前記時計手段によるアラーム信号に基づいて前記刺激信号発生手段に刺激信号を発生させるようにしてあることを特徴とする。
【００３３】
本発明にあっては、アラーム信号に基づいて刺激信号を発生させるようにしており、第１及び／又は第２の波長域の光量がランダムに変化するから、被照射者の眼が光刺激に慣れず、被照射者の覚醒を効果的に促すことができる。
【００３４】
本発明に係る照明装置は、前記刺激信号発生手段による刺激信号が１／ｆゆらぎ信号であることを特徴とする。
【００３５】
本発明にあっては、第１及び／又は第２の波長域の光量が１／ｆゆらぎ信号に従って変化するから、被照射者に快適感を与えることができる。
【００３６】
本発明に係る照明装置は、前記制御手段は、１／ｆゆらぎ信号に応じて前記第１の波長域の光量を制御するようにしてあることを特徴とする。
【００３７】
本発明にあっては、第１の波長域の光量を１／ｆゆらぎ信号に応じて変化させているから、総光量が略一定になるようにしてある場合は閉眼状態の被照射者のみに、第２の波長域の光量を略一定にしてある場合は開眼状態及び閉眼状態両方の被照射者に快適感を与えることができる。
【００３８】
本発明に係る照明装置は、前記制御手段は、総光量が略一定になるように前記第１及び第２の波長域の光量を制御するようにしてあることを特徴とする。
【００３９】
本発明にあっては、総光量が略一定になるように第１及び第２の波長域の光量を制御しており、開眼状態の被照射者の網膜上の光受容体に付与される光刺激量が常に略一定になるから、開眼状態の被照射者に違和感を与えずにすむ。
【００４０】
本発明に係る照明装置は、前記刺激信号発生手段は、１／ｆゆらぎ信号及び白色雑音信号の刺激信号を発生するようにしてあり、前記制御手段は、１／ｆゆらぎ信号及び白色雑音信号に応じて前記第２及び第１の波長域の光量を夫々制御するようにしてあることを特徴とする。
【００４１】
本発明にあっては、第１の波長域の光量を白色雑音信号に応じて変化させ、第２の波長域の光量を１／ｆゆらぎ信号に応じて変化させるようにしてあり、閉眼状態の被照射者に白色雑音信号に応じて変化する高光透過率の光刺激が付与され、開眼状態の被照射者に１／ｆゆらぎ信号に応じて変化するメラトニンの分泌抑制の効果の高い光刺激が付与されるから、閉眼状態においては不快な光刺激が、開眼状態においては快適な光刺激が被照射者に付与されることになり、被照射者の覚醒をさらに効果的に促すことができる。
【発明の効果】
【００４２】
本発明によれば、被照射者の眼の開閉状態の如何に関わらず、被照射者に光刺激を付与して被照射者の覚醒を効果的に促すことができる。
【発明を実施するための最良の形態】
【００４３】
以下、本発明をその実施の形態を示す図面に基づいて詳述する。
（実施の形態１）
図１は、本発明の実施の形態１に係る照明装置１０の構成を示す模式図であり、図２は、本実施の形態に係る照明装置１０の概略構成を示すブロック図である。
【００４４】
図中１は、光源部であり、光源部１は、閉眼状態の被照射者に光刺激を与えるべく、第１の波長域の分光成分を有する光を発する第１の光源１１と、開眼状態の被照射者に光刺激を与えるべく、前記第１の波長域と異なる第２の波長域の分光成分を有する光を発する第２の光源１２と、第１の光源１１及び第２の光源１２を支持する板状の支持部材１３とを備えている。なお、これら第１の光源１１及び第２の光源１２は、例えば、ＬＥＤ素子と、該ＬＥＤ素子を封止し、蛍光体が分散された封止樹脂と、入力端子及び出力端子とを備えてなる表面実装型ＬＥＤである。
【００４５】
まず、第１の光源１１及び第２の光源１２の選定の考え方について説明する。瞼の光透過率は、前述した非特許文献２に記載されている図３０に示す波長特性を有する。例えば、成人の瞼の光透過率が、５８０ｎｍ以下の波長域において約３％以下である一方、５８０ｎｍ以上の波長域では波長に比例して単調増加し、波長７００ｎｍにおいて１４．５％であるという結果が得られている。
【００４６】
この図からわかるように、人の瞼の光透過率が低い波長域は５８０ｎｍ以下であるから、閉眼状態の被照射者に光刺激を与える第１の光源１１として、５８０ｎｍ以下の波長域である第２波長域（図３０中に（２）にて示す波長域）の分光成分ができるだけ含まれていない、５８０ｎｍ以上の波長域である第１波長域（図３０中に（１）にて示す波長域）の分光成分が多く含まれる光を発する光源を用いることが好ましい。また、５８０ｎｍ以上の波長域では波長に比例して単調増加していることから７００ｎｍ近傍（例えば、６５０〜７５０ｎｍ）の波長域の分光成分が多く含まれる光を発する光源を第１の光源１１として用いることがより望ましい。
【００４７】
このような第１の光源１１に好適に用いることができる光源の例を図３及び図４に示す。図３及び図４は、ＬＥＤの発光スペクトルを示す図であり、横軸に波長（ｎｍ）を、縦軸に相対強度を夫々示している。図３に示す光源は、ピーク波長が７００ｎｍの光を発するＬＥＤであり、５８０ｎｍ以上の波長の分光成分のみを含む光を発する。図４に示す光源は、４０５ｎｍ紫光源と、３波長蛍光材料とを備えてなる白色ＬＥＤであり、ピーク波長が６６０ｎｍ近傍の光を発する。
【００４８】
ところで、人の網膜上には、光受容体として、暗所視（約０．０１ルクス以下）で明暗を知覚する桿体細胞（Ｒ）と明所視（約１０ルクス以上）で色を知覚する３種類の錐体細胞（Ｓ錐体、Ｍ錐体、Ｌ錐体）が存在する。なお、０．０１〜１０ルクスの薄明視においては桿体細胞及び錐体細胞の両方が機能しており、錐体細胞が機能する照度の下限は約０．０１ルクスであり、桿体細胞が機能する照度の上限は約１０ルクスである。そして、光を見たとき明るく感じる程度である感度を光の波長毎に求めた分光感度は、光の波長に依存することが知られている。
【００４９】
図５は、明所視と暗所視の分光視感効率を示す図である。図５の横軸は波長（ｎｍ）を、縦軸は分光視感効率を夫々示しており、図中の白抜き丸は明所視における分光視感効率Ｖ（λ）を、黒丸は暗所視における分光視感効率Ｖ’（λ）を夫々示している。分光視感効率が高いほどその波長における感度が相対的に高いことを意味する。なお、分光視感効率は、分光視感度を最大視感度にて除算した値であり、最大値は１．０に規格化されている。なお、図５は国際照明委員会（ＣＩＥ）が測定値に基づき定めた値である。
【００５０】
このような分光視感効率に前述した瞼の光透過率を乗算して瞼の光透過率を考慮した閉眼状態における分光視感効率を考える。図６は、瞼の光透過率を考慮した分光視感効率を示す図である。図６の横軸は波長（ｎｍ）を、縦軸は分光視感効率×瞼の光透過率を夫々示している。図６には、図５に示した明所視における分光視感効率Ｖ（λ）及び暗所視における分光視感効率Ｖ’（λ）に図３０に示した成人の瞼の光透過率を夫々乗算した結果を白抜き三角及び黒三角にて夫々示している。
【００５１】
第１の光源１１は、閉眼状態の被照射者の網膜上の光受容体に強い光刺激を与えることが必要であるから、照度の上限が約１０ルクスと低い桿体細胞への光刺激ではなく、照度の下限が約０．０１ルクスである錐体細胞への光刺激、即ち明所視における分光視感効率Ｖ（λ）に着目して第１の光源１１を選定する。図６に示す如く、明所視における分光視感効率Ｖ（λ）×瞼の光透過率の値は約６１０ｎｍの波長にて最大値になっており、閉眼状態の被照射者への光刺激を与える第１の光源１１として、５８０〜６３０ｎｍの波長域に分光成分が多く含まれる光を発する光源が好適である。
【００５２】
このような第１の光源１１に好適に用いることができる光源の例を図７に示す。図７は、７種類のＬＥＤの発光スペクトルを示す図であり、横軸に波長（ｎｍ）を、縦軸に相対強度を夫々示している。発光色がアンバー及びレッドオレンジのＬＥＤは、５８０〜６３０ｎｍの波長域に分光成分が多く含まれる光を発する光源であり、第１の光源１１として用いることができる。
【００５３】
以上述べた如く、第１の光源１１として、７００ｎｍ近傍の波長域の分光成分が多く含まれる光を発する光源、又は５８０〜６３０ｎｍの波長域の分光成分が多く含まれる光を発する光源であることが望ましい。このような光源を第１の光源１１として用いることにより、光源からの光は閉眼状態の被照射者の瞼を透過して網膜上の光受容体に光刺激を与えることができ、被照射者の開眼を促して被照射者の眼を覚まさせることができる。
【００５４】
一方、開眼状態の被照射者に光刺激を与える第２の光源１２として、前述した如く、第１の波長域と異なる第２の波長域、即ち５８０ｎｍ以下の波長域の分光成分を有する光を発する光源が好ましく、開眼状態の被照射者に効果的に光刺激を与えるという観点から、メラトニンの分泌抑制の効果が高い波長域の分光成分を有する光を発する光源がより望ましい。メラトニンの分泌抑制の波長特性は、前述した非特許文献１に記載の図２９の如く、４６４ｎｍの波長のときにメラトニンの分泌抑制の相対感度が最大になることから、開眼状態の被照射者への光刺激を与える第２の光源１２として、４６４ｎｍ近傍（例えば、４３０〜４９０ｎｍ）の波長域に分光成分が多く含まれる光源が好適である。
【００５５】
このような第２の光源１２に用いることができる光源の例を図８に示す。図８は、ＬＥＤの発光スペクトルを示す図であり、横軸に波長（ｎｍ）を、縦軸に相対強度を夫々示している。図８に示す光源は、青色ＬＥＤと、蛍光材料とを備えてなる疑似白色ＬＥＤであり、６３８ｎｍ以上の波長域の分光成分をほとんど含まず、ピーク波長が４６３ｎｍ近傍の光を発する光源であり、第２の光源１２として好適に用いることができる。前述した図７に示す７種類のＬＥＤのうち、発光色がロイヤルブルー、ブルー、シアン及びグリーンのＬＥＤは、５８０ｎｍ以下の波長域に分光成分が多く含まれる光源であり、第２の光源１２として用いることができる。特に、発光色がブルー及びロイヤルブルーのＬＥＤは、メラトニンの分泌抑制の相対感度が最大になる４６４ｎｍ近傍の波長域に分光成分が多く含まれる光源であり、第２の光源１２として好適に用いることができる。
【００５６】
以上述べた如く、第２の光源１２として、４６４ｎｍ近傍の波長域の分光成分が多く含まれる光を発する光源であることが望ましい。このような光源を第２の光源１２として用いることにより、光源からの光は開眼状態の被照射者の網膜上の光受容体に光刺激を与えてメラトニンの分泌を効果的に抑制することができ、被照射者を速やかに覚醒させることができる。
【００５７】
以上の観点から選定された第１の光源１１及び第２の光源１２を備える光源部１には、図１に示す如く、第１の光源１１及び第２の光源１２と適長離隔して対向し、該第１の光源１１及び第２の光源１２を覆うように混光部２が支持部材１３に取付けてある。混光部２は、３８０〜７８０ｎｍの波長域に亘って高光透過率であり、光源部１からの光を拡散して均一な光にすることが可能な材料製であることが望ましく、例えば、拡散剤が添加された乳白色の樹脂製、細かい凹凸加工が施された透明色の樹脂製、又は曇りガラス製である。
【００５８】
光源部１は、光源制御部３により点灯制御がなされる。光源制御部３には、信号受信部４が接続してあり、信号受信部４には、入力装置５からの入力信号が無線又は有線にて与えられる。入力装置５は、例えば、照明装置を点灯／消灯する操作を受け付ける電源スイッチと、被照射者の開眼／閉眼状態を検出する検出器をオン／オフする操作を受け付ける検出器動作スイッチと、開眼状態及び閉眼状態の被照射者への光刺激の種類の選択操作を受け付ける光刺激選択スイッチと、これらのスイッチの操作に応じた赤外線信号の送信を行う信号送信部５ａとを備えてなる赤外線リモートコントローラである。信号受信部４は、信号送信部５ａからの信号を受信し、受信された信号を光源制御部３に与える。なお、入力装置５は、被照射者が閉眼状態にあるときの第１の光源１１の光量の増加量を変更する操作、光源部１の光色及び／又は光量を変更する操作等の操作を受け付けるように構成してもよい。
【００５９】
また、光源制御部３には、被照射者の眼の開閉状態を検出する検出器６が接続してあり、検出器６は、光源制御部３による動作指令信号に応じて被照射者の眼の開閉状態を検出し、検出された被照射者の眼の開閉状態を光源制御部３に与える。検出器６は、被照射者を撮影する撮像部６１と、該撮像部６１を制御する撮像制御部６２と、撮像部６１により撮影された画像を解析する画像信号解析部６３とを備えてなる。光源制御部３は、信号受信部４に与えられた入力装置５の検出器動作スイッチからの入力信号がオン信号である場合、撮像制御部６２に撮像開始の動作指令信号を与える。撮像制御部６２は、与えられた動作指令信号に応じて撮像部６１を動作させる。
【００６０】
撮像部６１は、少なくとも被照射者の顔面部を撮影可能な位置に設置してあり、レンズ等の光学部材と、例えばＣＣＤ、ＣＭＯＳ等の撮像素子とを備えている。本発明に係る照明装置においては、周囲が暗い状態において被照射者の開眼状態／閉眼状態を検出する必要性が高く、撮像部６１により画像情報を取得するために用いられる光は、例えば８００〜２５００ｎｍの波長域の近赤外光であることが好ましい。そして、該撮像部６１による画像取得をより確実にするために、撮像部６１は、該撮像部６１内部の被照射者への照射が可能な位置に、近赤外光を出射する発光部を備えていることがさらに好ましい。
【００６１】
撮像部６１は、撮像素子により取得された被照射者の顔面部を含む画像情報を撮像制御部６２に与える。撮像制御部６２は、与えられた画像情報に基づいて、例えばピント、露光等が適切か否か判定し、判定された結果に応じて撮像部６１にピント調整、露光調整のための信号を与え、撮像部６１は、与えられた信号に応じてピント調整、露光調整等を行う。撮像制御部６２は、ピント、露光等が適切であると判定した場合、得られた画像情報を画像信号解析部６３に与える。
【００６２】
画像信号解析部６３は、撮像制御部６２により与えられた画像情報に基づいて、顔画像をエッジ処理等を行うことにより被照射者の眼の特徴を抽出して、必要に応じて被照射者の人数及び／又は顔の向き等を解析したのちに、被照射者の上瞼及び下瞼間の間隔、眼の瞳の面積、又は眼の面積比（＝眼の上半分の面積／眼の全体面積）等により開眼の度合いを求める。この開眼の度合いを求める際に、まばたき動作による誤差を低減するため、画像情報に時間変化を含めた動画情報を用いて情報の平均化等を行うことにより開眼の度合いを求める方がより好ましい。画像信号解析部６３は、求めた開眼の度合いを用いて被照射者が開眼状態か閉眼状態かを判定し、判定された結果を、必要に応じて変調等を行ったのち、センサ信号として無線又は有線により光源制御部３に与える。
【００６３】
また、光源制御部３には、光量情報記憶部７が接続してある。光量情報記憶部７には、第１の光源１１及び第２の光源１２夫々の光量情報の初期設定値、画像信号解析部６３により与えられたセンサ信号に応じて変更される第１の光源１１及び第２の光源１２夫々の光量の増加量／減少量が記憶してある。光源制御部３は、入力装置５の電源スイッチからの入力信号が点灯信号であるとき、光量情報記憶部７から、第１の光源１１及び第２の光源１２夫々の光量情報の初期設定値を読込む。
【００６４】
光源制御部３は、入力装置５により与えられた入力信号及び画像信号解析部６３により与えられたセンサ信号に基づいて光量情報記憶部７により読込まれた第１の光源１１及び第２の光源１２夫々の光量情報の初期設定値を補正する。光源制御部３は、初期設定値又は補正された光量情報の設定値に基づいて光源調光用信号を生成し、生成された光源調光用信号に応じて第１の光源１１及び第２の光源１２夫々を駆動制御する。第１の光源１１及び第２の光源１２は光源調光用信号に応じた輝度にて夫々発光する。光源調光用信号は、光源として用いられているＬＥＤの電流‐輝度特性に従った電流信号であり、例えば、アナログ電流信号、パルス幅変調信号等の信号である。
【００６５】
図９は、本実施の形態に係る照明装置１０の点灯制御の処理手順を示すフローチャートの一例である。光源制御部３は、入力装置５からの入力信号を取得し（ステップＳ１）、ステップＳ１において取得された入力信号に基づいて点灯指令中であるか否かを判定する（ステップＳ２）。点灯指令中であるか否かは、電源が投入された状態において、入力装置５の電源スイッチから信号受信部４に与えられた直近の入力信号が点灯信号であるか消灯信号であるかにより判定される。
【００６６】
ステップＳ２において、点灯指令中であると判定された場合（ステップＳ２：ＹＥＳ）、光量情報記憶部７から第１の光源１１及び第２の光源１２夫々の光量情報の初期設定値を読込む（ステップＳ３）。
【００６７】
一方、ステップＳ２において、点灯指令中でないと判定された場合（ステップＳ２：ＮＯ）、第１の光源１１及び第２の光源１２を消灯し（ステップＳ４）、ステップＳ１に戻り一連の動作を繰り返す。
【００６８】
ステップＳ１において取得された入力装置５からの入力信号に基づいて、検出器６がオンであるか否かを判定する（ステップＳ５）。検出器６がオンであるか否かは、入力装置５の検出器動作スイッチから信号受信部４に与えられた入力信号がオン信号であるかオフ信号であるかにより判定される。ステップＳ５において、検出器６がオンであると判定された場合（ステップＳ５：ＹＥＳ）、被照射者の画像を取得し（ステップＳ６）、取得された画像に基づいて開眼の度合いを検出する（ステップＳ７）。一方、ステップＳ５において、検出器６がオフであると判定された場合（ステップＳ５：ＮＯ）、ステップＳ１０に進む。
【００６９】
次に、ステップＳ７において検出された開眼の度合いに基づいて被照射者が閉眼状態であるか否かを判定する（ステップＳ８）。複数の被照射者がいる場合、少なくとも一人の被照射者が閉眼状態であるとき、被照射者が閉眼状態であると判定する。
【００７０】
ステップＳ８において、閉眼状態であると判定された場合（ステップＳ８：ＹＥＳ）、ステップＳ３において取得された第１の光源１１及び第２の光源１２夫々の光量情報の初期設定値を補正する（ステップＳ９）。この第１の光源１１及び第２の光源１２夫々の光量情報の初期設定値の補正は、画像信号解析部６３により与えられるセンサ信号に応じて予め設定されている第１の光源１１及び第２の光源１２夫々の光量の増加量／減少量を初期設定値に加算することにより行われる。一方、ステップＳ８において、閉眼状態でないと判定された場合（ステップＳ８：ＮＯ）、光量情報の初期設定値の補正を行わずにステップＳ１０に進む。
【００７１】
次に、ステップＳ３において読込まれた第１の光源１１及び第２の光源１２夫々の光量情報の初期設定値、又はステップＳ９において補正された第１の光源１１及び第２の光源１２夫々の光量情報の設定値に基づいて、光源調光用信号を生成する（ステップＳ１０）。
【００７２】
ステップＳ１０において生成された光源調光用信号に応じて第１の光源１１及び第２の光源１２夫々を点灯して（ステップＳ１１）、照明装置１０の点灯制御の動作を終了する。
【００７３】
このように構成された照明装置１０の光源部１に対する光源調光用信号は、照明装置１０の具体的な適用場所に応じて適切に設定される。以下、適用場所に応じた照明装置の配置構成及び光源調光用信号による光源部の点灯制御について図面に基づいて説明する。
【００７４】
図１０は、車両に搭載された本実施の形態に係る照明装置１０の配置構成を示す模式図である。被照射者が一人のみであり、その被照射者が覚醒状態を維持したい場合への適用例である。被照射者の眼の開閉状態を示す情報を検出する検出器６は、撮像部６１により運転者の顔面部を撮影することが可能なように、図示しない車両の運転席の前方に設けられた車載機器操作パネル１００の上部の適宜の位置に設けてある。光源部１は、車両用操舵装置のステアリングホイール１０１のハブ１０１ａに設けてあり、光源部１から出射される光が運転者の顔面に照射されるように適宜角度調整がなされている。入力装置５は、ステアリングホイール１０１の円環状のリム１０１ｂに設けてある。
【００７５】
図１１は、車両に搭載された本実施の形態に係る照明装置１０の点灯及び光量の制御過程を示すタイミングチャートの一例である。図１１（ａ）は第１の光源１１を、図１１（ｂ）は第２の光源１２を、図１１（ｃ）は第１の光源１１及び第２の光源１２からなる光源部１を夫々示しており、図１１（ａ）（ｂ）（ｃ）の横軸は時刻を、縦軸は光量を夫々示している。光源制御部３は、入力装置５により与えられた電源スイッチからの入力信号が消灯であるとき、第１の光源１１及び第２の光源１２を消灯し、電源スイッチからの入力信号が点灯であるとき、第１の光源１１及び第２の光源１２を光源調光用信号に応じて点灯する。光源制御部３に画像信号解析部６３により与えられるセンサ信号は、被照射者である運転者が閉眼状態又は閉眼状態であることを示す信号である。光源制御部３は、センサ信号が閉眼状態を示す信号であるとき、第２の光源１２の光量を一定に保ちつつ、第１の光源１１の光量をセンサ信号が開眼状態を示す信号であるときよりも増加させるようにしてある。
【００７６】
以上のように照明装置１０の点灯制御を行うことにより、被照射者である運転者が閉眼状態にあるときに、瞼の光透過率の高い光を発する第１の光源１１の光量を増加させているから、瞼を透過して閉眼状態の運転者の網膜上の光受容体に付与される光刺激量が多くなる。この結果、閉眼状態の運転者は、眼を閉じた状態においても光刺激を感じてしまうため、該光刺激により開眼状態へと誘導されることになり、閉眼状態の運転者の開眼を効果的に促すことができる。第２の光源１２の光量を一定に保持しており、運転者が閉眼状態になったときに、第１の光源１１及び第２の光源１２両方の光量を増加するよりも低消費電力にて、効率よく開眼を促すことができる。
【００７７】
図１２は、会議室内に設置された本実施の形態に係る照明装置１０の配置構成を示す模式図である。被照射者が複数（被照射者１、被照射者２、被照射者３）おり、その被照射者全員が覚醒状態を維持したい場合への適用例である。被照射者の眼の開閉状態を示す情報を検出する検出器６は、会議室のテーブル１０２の天板上面の略中央に設けてある。撮像部６１により複数の被照射者全員の少なくとも顔面部を撮像すべく、撮像部６１は、魚眼レンズのような広角レンズを用いた光学部材を備えていることが好ましい。なお、必要に応じて複数の撮像部を適宜配置するように構成してもよい。光源部１は、天井１０３に設けてあり、入力装置５は、検出器６と共にテーブル１０２の天板上面の略中央に設けてある。撮像部６１は、撮像素子により取得された被照射者全員の少なくとも顔面部を含む画像情報を、撮像制御部６２を介して画像信号解析部６３に与える。画像信号解析部６３は、各被照射者の開眼の度合いを求め、開眼状態か閉眼状態かを判定して、判定結果である各被照射者のセンサ信号を光源制御部３に与える。
【００７８】
図１３は、会議室内に設置された本実施の形態に係る照明装置１０の点灯及び光量の制御過程を示すタイミングチャートの一例である。図１３（ａ）は第１の光源１１を、図１３（ｂ）は第２の光源１２を、図１３（ｃ）は第１の光源１１及び第２の光源１２からなる光源部１を夫々示しており、図１３（ａ）（ｂ）（ｃ）の横軸は時刻を、縦軸は光量を夫々示している。光源制御部３は、入力装置５により与えられた電源スイッチからの入力信号が消灯であるとき、第１の光源１１及び第２の光源１２を消灯し、電源スイッチからの入力信号が点灯であるとき、第１の光源１１及び第２の光源１２を光源調光用信号に応じて点灯する。光源制御部３に画像信号解析部６３により与えられるセンサ信号は、複数の被照射者（被照射者１、被照射者２、被照射者３）夫々が閉眼状態又は閉眼状態であることを示す信号である。光源制御部３は、センサ信号の少なくとも一つが閉眼状態を示す信号であるとき、第１の光源１１及び第２の光源１２の総光量を一定に保ちつつ、第１の光源１１の光量をセンサ信号が開眼状態を示す信号であるときよりも増加させるようにしてある。即ち、第１の光源１１の光量の増加分だけ、第２の光源１２の光量を減少させるようにしてある。
【００７９】
以上のように照明装置１０の点灯制御を行うことにより、少なくとも一人の被照射者が閉眼状態にあるときに、瞼の光透過率の高い光を発する第１の光源１１の光量を増加させているから、瞼を透過して閉眼状態の被照射者の網膜上の光受容体に付与される光刺激量が多くなる。この結果、本例の被照射者１及び被照射者２の如く閉眼状態である被照射者は、眼を閉じた状態においても強い光刺激を感じてしまうため、その光刺激により開眼状態へと誘導されることになり、閉眼状態の被照射者の開眼を効果的に促すことができる。
【００８０】
また、第１の光源１１及び第２の光源１２の総光量を一定に保持しており、開眼状態の被照射者には、第１の光源１１及び第２の光源１２から出射され混光された後の総光量に応じた光が眼に入射されるから、開眼状態の被照射者の網膜上の光受容体に付与される光刺激量は常に略一定になる。この結果、本例の被照射者３の如く開眼状態である被照射者は、略一定の光量が保持されたままであると感じることになり、開眼状態の被照射者に違和感を与えずにすむ。
【００８１】
以上のように本例においては、開眼状態の被照射者には略一定の明るさの照明を提供しながら、閉眼状態の被照射者には選択的に適切な光刺激を与えることができる。
【００８２】
なお、本実施の形態においては、被照射者の眼の特徴を抽出して画像解析により開眼の度合いを求め、求めた開眼の度合いにより開眼状態と閉眼状態との判定をするようにしてあるが、これに限定されず、瞼の動作のみではなく、眼球運動を加味して解析してもよい。これにより、開眼状態／閉眼状態のみではなく、レム睡眠、ノンレム睡眠等の眠気の状態の解析が可能となり、例えば、瞼の動作の解析により、まばたきの頻度を検知し、眼球運動の解析と組み合わせた処理を画像信号解析部にて行うことにより、眠気のレベル（例えば、覚醒、レム睡眠、４段階のノンレム睡眠）に応じてセンサ信号を決定し、決定されたセンサ信号に応じて光源調光用信号を生成することにより、よりきめ細かい被照射者の状況に応じた適切な光刺激を被照射者に与えることが可能となる。
【００８３】
また、本実施の形態においては、検出器６として、被照射者を撮影する撮像部６１と、該撮像部６１を制御する撮像制御部６２と、撮像部６１により撮影された画像を解析する画像信号解析部６３とを備えてなる撮像装置を用いているが、これに限定されず、睡眠及び／又は眠気判定を行うことが可能な検出器であればよい。例えば、脳波を測定する脳波測定器であってもよく、この場合、眠気判定において非常に細やかな検知をおこなうことが可能となる。脳波測定を行う場合は、被照射者の身体に電極を装着することが必要となるが、例えば、入院患者に対して使用する場合に好適に用いることができる。
【００８４】
また、検出器６として、例えば、体圧、体温、心拍等の測定が可能な検出器でもよい。図１４は、本実施の形態に係る照明装置に適用可能な検出器の具体例である。図１４（ａ）は、会議室のイス等にシート状の体圧及び体温の測定が可能な検出器６ａを設置した例である。検出器６ａにより体圧及び体温を測定することができ、体圧測定値から得られる体動及び体温の変動値を用いて睡眠状態、眠気レベルを解析することが可能である。図１４（ｂ）は、腕に装着するベルトの内側に心拍、脈波及び体温の測定が可能な検出器６ｂを設けた腕時計型の検出器の例である。検出器６ｂにより心拍、脈波及び体温を測定することができ、測定された心拍、脈波及び体温の変動値を用いて睡眠状態、眠気レベルを解析することが可能である。さらに、検出器として、撮像装置、体圧センサ、体温センサ等、複数種のセンサを組み合わせて用いることも可能であり、この場合、よりきめ細かく確実に被照射者の睡眠状態、眠気レベル等を判定することができ、この判定結果に応じて更に適切な光刺激を被照射者に与えることが可能となる。
【００８５】
（実施の形態２）
図１５は、本発明の実施の形態２に係る照明装置２０の概略構成を示すブロック図である。
【００８６】
光源制御部３には、信号受信部４が接続してあり、信号受信部４には、入力装置５からの入力信号が無線又は有線にて与えられる。入力装置５は、例えば、照明装置を点灯／消灯する操作を受け付ける電源スイッチと、アラーム機能をオン／オフする操作、刺激付与を開始する時刻、刺激付与を終了する時刻等の刺激付与情報を入力する操作を含むアラームの設定操作を受け付けるアラーム設定スイッチと、アラームとして発生する刺激の種類及び／又は大きさの設定操作を受け付ける刺激設定スイッチと、これらのスイッチの操作に応じた信号の送信を行う信号送信部５ａとを備えてなる。なお、入力装置５は、光源部１の光色及び／又は光量を変更する操作を受け付けるように構成してもよい。
【００８７】
また、光源制御部３には、設定された時間の到来を報知するアラーム信号を出力する時計装置８が接続してある。時計装置８は、発振器を有し時間を刻む現在時刻発生部８１と、刺激付与を開始する時刻、刺激付与を終了する時刻等の刺激付与情報を記憶する刺激付与情報記憶部８２と、時計制御部８３とを備えてなる。光源制御部３は、アラーム機能のオン信号が入力信号として与えられたとき、アラームの動作指令信号とともに、信号受信部４に与えられた入力装置５のアラーム設定スイッチからの入力信号を時計制御部８３に与える。
【００８８】
時計制御部８３は、刺激付与情報記憶部８２から刺激付与情報の前回の設定値を読込み、現在時刻発生部８１から現在時刻を取得する。刺激付与情報記憶部８２には、刺激付与の開始時刻ｔ１及び終了時刻ｔ２が記憶してある。時計制御部８３は、刺激付与情報が入力信号として与えられたとき、刺激付与情報の設定値を与えられた刺激付与情報の設定値に変更し、変更された設定値を刺激付与情報記憶部８２に記憶する。時計制御部８３は、時間情報である現在時刻ｔ、刺激付与情報である刺激付与の開始時刻ｔ１及び終了時刻ｔ２を光源制御部３に与える。
【００８９】
光量情報記憶部７には、第１の光源１１及び第２の光源１２夫々の光量情報の初期設定値、時計制御部８３により与えられた時間情報及び刺激付与情報に基づいて変更される第１の光源１１及び第２の光源１２夫々の光量情報が記憶してある。光源制御部３は、時計制御部８３により与えられた現在時刻ｔ、刺激付与の開始時刻ｔ１及び終了時刻ｔ２に基づいて、現在時刻が第１時間帯（ｔ１≦ｔ＜ｔａ）又は第２時間帯（ｔａ≦ｔ＜ｔ２）の時間帯であるか否かを判定する。なおｔａは、刺激付与時間内において適宜設定可能であり、本例においては、開始時刻ｔ１と終了時刻ｔ２との中間である（ｔ１＋ｔ２）／２に設定してある。なお、照明装置２０は、上述したような検出器を備えて、被照射者の眼の開閉状態を検知できるように構成することによって、被照射者が開眼した時をｔａとして光源を制御することによって、より効果的に被照射に光刺激を付与することができる。
【００９０】
光源制御部３は、第１時間帯、第２時間帯又はそれ以外の時間帯に対応して夫々定められ、光量情報記憶部７に記憶してある光量情報に応じて、第１の光源１１及び第２の光源１２夫々の光源調光用信号を生成し、生成された光源調光用信号に応じて第１の光源１１及び第２の光源１２夫々を駆動制御する。光量情報記憶部７に記憶されている光量情報は、具体的には、第１時間帯のとき、第１の光源１１及び第２の光源１２夫々の光量が所定光量Ｑ１及び０であり、第２時間帯のとき、第１の光源１１及び第２の光源１２夫々の光量が０及び所定光量Ｑ２であり、それ以外の時間帯のとき、第１の光源１１及び第２の光源１２夫々の光量が初期設定値である。その他の構成は、図２に示す実施の形態１と同様であるため、対応する構成要素に図２と同一の参照符号を付して、その構成及び動作の詳細な説明を省略する。
【００９１】
図１６は、本実施の形態に係る照明装置２０の点灯制御の処理手順を示すフローチャートの一例である。光源制御部３は、入力装置５からの入力信号を取得し（ステップＳ３１）、光量情報記憶部７から第１の光源１１及び第２の光源１２夫々の光量情報の初期設定値を読込む（ステップＳ３２）。
【００９２】
ステップＳ３１において取得された入力信号に基づいてアラーム機能がオンであるか否かを判定する（ステップＳ３３）。アラーム機能がオンであるか否かは、電源が投入された状態において、入力装置５のアラーム設定スイッチから信号受信部４に与えられた入力信号がオン信号であるかオフ信号であるかにより判定される。
【００９３】
ステップＳ３３において、アラーム機能がオンであると判定された場合（ステップＳ３３：ＹＥＳ）、刺激付与情報記憶部８２から刺激付与情報の前回の設定値を読込み（ステップＳ３４）、現在時刻発生部８１から現在時刻を取得する（ステップＳ３５）。一方、ステップＳ３３において、アラーム機能がオフであると判定された場合（ステップＳ３３：ＮＯ）、ステップＳ３１において取得された入力信号に基づいて点灯指令中であるか否かを判定する（ステップＳ３６）。点灯指令中であるか否かは、電源が投入された状態において、入力装置５の電源スイッチから信号受信部４に与えられた入力信号が点灯信号であるか消灯信号であるかにより判定される。
【００９４】
ステップＳ３６において、点灯指令中であると判定された場合（ステップＳ３６：ＹＥＳ）、ステップＳ４２に進む。一方、ステップＳ３６において、点灯指令中でないと判定された場合（ステップＳ３６：ＮＯ）、第１の光源１１及び第２の光源１２を消灯し（ステップＳ３７）、ステップＳ３１に戻り一連の動作を繰り返す。
【００９５】
次に、ステップＳ３１において取得された入力信号に基づいて刺激付与情報があるか否かを判定する（ステップＳ３８）。刺激付与情報の有無は、ステップＳ３１において取得された入力信号に刺激付与情報である刺激付与の開始時刻ｔ１及び終了時刻ｔ２を示す信号が含まれるか否かにより判定される。
【００９６】
ステップＳ３８において刺激付与情報があると判定された場合（ステップＳ３８：ＹＥＳ）、刺激付与情報の設定値を与えられた刺激付与情報の設定値に変更し（ステップＳ３９）、変更された設定値を刺激付与情報記憶部８２に記憶する。ステップＳ３８において刺激付与情報がないと判定された場合（ステップＳ３８：ＮＯ）、刺激付与情報の設定値の変更を行わずにステップＳ４０に進む。
【００９７】
ステップＳ３９において変更された刺激付与情報の設定値、又はステップＳ３４において読込まれた刺激付与情報の前回の設定値、及びステップＳ３５において取得された現在時刻に基づいて、現在時刻ｔが刺激付与時間であるか（ｔ１≦ｔ＜ｔ２）否かを判定する（ステップＳ４０）。ステップＳ４０において現在時刻ｔが刺激付与時間であると判定された場合（ステップＳ４０：ＹＥＳ）、光量情報の設定値を変更する（ステップＳ４１）。一方、ステップＳ４０において現在時刻ｔが刺激付与時間でないと判定された場合（ステップＳ４０：ＮＯ）、ステップＳ３６に戻り一連の動作を繰り返す。
【００９８】
図１７は、光量情報の設定値変更の手順を示すフローチャートである。光源制御部３は、ステップＳ３１において取得された刺激付与情報の設定値、又はステップＳ３４において読込まれた刺激付与情報の前回の設定値、及びステップＳ３５において取得された現在時刻に基づいて、現在時刻ｔが第１時間帯であるか（ｔ１≦ｔ＜ｔａ）否かを判定する（ステップＳ４５）。ステップＳ４５において現在時刻ｔが第１時間帯であると判定された場合（ステップＳ４５：ＹＥＳ）、光量情報記憶部７から対応する光量情報（具体的には、第１の光源１１の光量＝所定光量Ｑ１、第２の光源１２の光量＝０）を読込み、光量情報の設定値を変更して（ステップＳ４６）、リターンする。
【００９９】
一方、ステップＳ４５において現在時刻ｔが第１時間帯でないと判定された場合（ステップＳ４５：ＮＯ）、即ち現在時刻ｔが第２時間帯である場合、光量情報記憶部７から対応する光量情報（具体的には、第１の光源１１の光量＝０、第２の光源１２の光量＝所定光量Ｑ２）を読込み、光量情報の設定値を変更して（ステップＳ４７）、リターンする。
【０１００】
ステップＳ３２において読込まれた第１の光源１１及び第２の光源１２夫々の光量情報の初期設定値、又はステップＳ４１において変更された第１の光源１１及び第２の光源１２夫々の光量情報の設定値に基づいて、光源調光用信号を生成する（ステップＳ４２）。
【０１０１】
ステップＳ４２において生成された光源調光用信号に応じて第１の光源１１及び第２の光源１２夫々を点灯して（ステップＳ４３）、照明装置２０の点灯制御の動作を終了する。
【０１０２】
このように構成された照明装置２０の光源部１に対する光源調光用信号は、照明装置２０の具体的な適用場所に応じて適切に設定される。図１８は、設定された時間の到来を報知するアラーム信号を出力する時計装置８、所謂目覚まし時計に本発明に係る照明装置２０を適用した例を示す図である。被照射者に目覚まし効果を与えたい場合への適用例であり、例えば、被照射者の枕元に置いて用いられる。
【０１０３】
時計装置８は、所謂置時計であり、該時計装置８の下部には、入力装置５が連設してある。時計装置８の上部には、複数の光源を有する光源部１が設けてある。光源部１は、該光源部１から出射される光が被照射者の顔面に照射されるように適宜角度調整が可能なように構成してあることが望ましい。
【０１０４】
図１９は、本実施の形態に係る照明装置２０の点灯及び光量の制御過程を示すタイミングチャートの一例である。図１９（ａ）は第１の光源１１を、図１９（ｂ）は第２の光源１２を、図１９（ｃ）は第１の光源１１及び第２の光源１２からなる光源部１を夫々示しており、図１９（ａ）（ｂ）（ｃ）の横軸は時刻を、縦軸は光量を夫々示している。光源制御部３は、入力装置５により与えられた電源スイッチからの入力信号及びアラーム設定スイッチからの入力信号に基づいて生成された光源調光用信号に応じて、図１９に示す如く、第１の光源１１及び第２の光源１２夫々を点灯する。光源制御部３は、第１時間帯（ｔ１≦ｔ＜ｔａ）の間は、瞼の光透過率の高い波長域の光を発する第１の光源１１を点灯させ、第２時間帯（ｔａ≦ｔ＜ｔ２）の間は、メラトニンの分泌抑制の効果の高い波長域の光を発する第２の光源１２を点灯させている。
【０１０５】
以上のように照明装置２０の点灯制御を行うことにより、最初に瞼の光透過率の高い光刺激を眠っている被照射者に付与して開眼を促進したのち、メラトニンの分泌抑制の効果の高い光刺激を被照射者に付与しており、被照射者を開眼状態にしたのちに十分に覚醒させることができ、より確実な目覚まし効果を得ることができる。また、本例においては、第１時間帯の第１の光源１１の光量よりも第２時間帯の第２の光源１２の光量が多くなるようにしており、この結果、混光後の総光量（図１９（ｃ））を段階的に増加させることができ、目覚まし効果を向上することができる。
【０１０６】
図２０は、本実施の形態に係る照明装置２０の点灯及び光量の制御過程を示すタイミングチャートの他の例である。図２０（ａ）は第１の光源１１を、図２０（ｂ）は第２の光源１２を、図２０（ｃ）は第１の光源１１及び第２の光源１２からなる光源部１を夫々示しており、図２０（ａ）（ｂ）（ｃ）の横軸は時刻を、縦軸は光量を夫々示している。光源制御部３は、刺激付与時間（ｔ１≦ｔ＜ｔ２）の最初の時間帯は、瞼の光透過率の高い波長域の光を発する第１の光源１１の光量が第２の光源１２の光量よりも多くなるように、刺激付与時間の後半の時間帯は、メラトニンの分泌抑制の効果の高い波長域の光を発する第２の光源１２の光量が第１の光源１１の光量よりも多くなるように第１の光源１１及び第２の光源１２夫々を点灯させている。
【０１０７】
なお、この場合、光量情報の設定値変更の手順及び内容が図１６及び図１７に示した内容と異なることになるが、それ以外は同じである。即ち、光源制御部３は、現在時刻が刺激付与時間内であるか否かを判定し、刺激付与時間内であるときは、図２０（ａ）（ｂ）に示すような時間の経過に応じて変化する光量を得るべく設定された光量情報の設定値に変更され、刺激付与時間外であるときは、ステップＳ３６に戻り一連の動作を繰り返す。
【０１０８】
以上のように照明装置２０の点灯制御を行うことにより、刺激付与時間において、２種類の光源の光量の切り替えを徐々に行うとともに、混光後の総光量を漸増させており、総光量の増加に伴い目覚まし効果を向上することができる。
【０１０９】
図２１は、本実施の形態に係る照明装置２０の点灯及び光量の制御過程を示すタイミングチャートの他の例である。図２１（ａ）は第１の光源１１を、図２１（ｂ）は第２の光源１２を、図２１（ｃ）は第１の光源１１及び第２の光源１２からなる光源部１を夫々示しており、図２１（ａ）（ｂ）（ｃ）の横軸は時刻を、縦軸は光量を夫々示している。本例において、光源制御部３は、図２０に示した例と同様に、刺激付与時間（ｔ１≦ｔ＜ｔ２）の前半の時間帯は、瞼の光透過率の高い波長域の光を発する第１の光源１１の光量が第２の光源１２の光量よりも多くなるように、刺激付与時間の後半の時間帯は、メラトニンの分泌抑制の効果の高い波長域の光を発する第２の光源１２の光量が第１の光源１１の光量よりも多くなるとともに、入力装置５の電源スイッチからの出力信号が点灯信号であるときは少なくとも、混光後の総光量が一定になるように第１の光源１１及び第２の光源１２夫々を点灯させるようにしてある。
【０１１０】
なお、この場合、光量情報の設定値変更の手順及び内容が図１６及び図１７に示した内容と異なることになるが、それ以外は同じである。即ち、光源制御部３は、現在時刻が刺激付与時間内であるか否かを判定し、刺激付与時間内であるときは、電源スイッチからの出力信号が点灯信号であるか否かを判定する。点灯信号であるときは、総光量が刺激付与時間及び刺激付与時間の前後にて一定になるように大きさを決定し、図２１（ａ）（ｂ）に示すような時間の経過に応じて変化する光量を得るべく設定された光量情報の設定値に変更する。点灯信号でないときは、予め設定された光量の値の大きさを変更せず、図２１（ａ）（ｂ）に示すような時間の経過に応じて変化する光量を得るべく設定された光量情報の設定値に変更する。一方、刺激付与時間外であるときは、ステップＳ３６に戻り一連の動作を繰り返す。
【０１１１】
本例の如く照明装置２０の点灯制御を行うことにより、例えば、複数の被照射者が同じ部屋に寝ているような場合に、まだ目覚めていない閉眼状態である被照射者には、第１の光源１１と第２の光源１２光源１との切替え点灯により、最初に瞼の光透過率の高い光刺激を付与して開眼を促進したのち、メラトニンの分泌抑制の効果の高い光刺激を付与して確実な目覚まし効果を得ることができる。一方、略一定の総光量が保持されているから、既に目覚めている開眼状態である被照射者には、光量変化を殆ど感じさせず、違和感を与えずにすむ。
【０１１２】
なお、以上述べた本実施の形態においては、時計装置８による時間情報及び刺激付与情報に応じて光源部１を点灯制御するように構成してあるが、これに限定されず、実施の形態１において述べた検出器６によるセンサ信号と時計装置８による時間情報及び刺激付与情報とを組み合わせて、これらの内容に応じて光源部１を点灯制御するように構成してもよい。
【０１１３】
（実施の形態３）
図２２は、実施の形態３に係る照明装置３０の概略構成を示すブロック図である。
【０１１４】
光源制御部３には、信号受信部４が接続してあり、信号受信部４には、入力装置５からの入力信号が無線又は有線にて与えられる。入力装置５は、例えば、照明装置を点灯／消灯する操作を受け付ける電源スイッチと、光刺激を付与するか否かを切替える操作を受け付ける光刺激切替スイッチと、総光量を一定にするか否かを切替える操作を受け付ける光量一定スイッチと、発生する刺激の種類及び／又は大きさの設定操作を受け付ける刺激設定スイッチと、これらのスイッチの操作に応じた信号の送信を行う信号送信部５ａとを備えてなる。なお、入力装置５は、光源部１の光色及び／又は光量を変更する操作を受け付けるように構成してもよい。
【０１１５】
また、光源制御部３には、刺激信号発生装置９が接続してある。刺激信号発生装置９は、図２２に示すように、サンプルクロック発生部９１と、刺激信号記憶部９２と、乱数発生部９３と、線型変換部９４と、これらを制御する刺激信号制御部９５とを備えてなり、任意の信号波形の刺激信号を発生させることが可能なように構成してある。光源制御部３は、光刺激切替スイッチの光刺激のオン信号が入力信号として与えられたとき、光刺激付与の動作指令信号とともに、信号受信部４に与えられた入力装置５の刺激設定スイッチからの入力信号を刺激信号制御部９５に与える。刺激信号制御部９は、入力装置５の刺激設定スイッチからの入力信号に基づいて、以下に述べるように、サンプルクロック発生部９１、刺激信号記憶部９２、乱数発生部９３、線型変換部９４の各部に動作指令を与え、各部より必要なパラメータを取得して刺激信号を発生し、光源制御部３に与える。
【０１１６】
刺激信号制御部９５は、刺激信号を発生するためのパラメータ等の刺激信号情報が記憶してある刺激信号記憶部９２から刺激信号情報を読込み、読込まれた刺激信号情報に基づいて刺激信号を発生する。なお、刺激信号制御部９５は、信号受信部４に与えられた入力装置５の刺激設定スイッチからの入力信号に基づいて、刺激信号情報を変更し、変更後の刺激信号情報を刺激信号記憶部９２に記憶する。また、刺激信号発生装置９は、例えば、オーディオ機器等と同期させることが可能なトリガー信号、周波数等の任意の情報を外部から入力できるようにしてあり、この外部入力の情報に応じて刺激信号記憶部９２に予め記憶されている刺激信号情報を変更し、変更後の刺激信号情報を刺激信号記憶部９２に記憶するようにしてある。
【０１１７】
刺激信号制御部９５は、刺激信号情報であるパラメータに基づいて、乱数発生部９３にて乱数を発生させ、発生された乱数をサンプルクロック発生部９１に与える。サンプルクロック発生部９１は、与えられた乱数に従ってサンプルクロック信号を発生させ、発生されたサンプルクロック信号を刺激信号制御部９５に与える。刺激信号制御部９５は、サンプルクロック発生部９１により与えられたサンプルクロック信号の振幅を線型変換部９４からの線型信号に従って変調して刺激信号を発生して、光源制御部３に与える。なお、このように発生される刺激信号に応じて第１の光源１１及び／又は第２の光源１２を駆動制御することにより、第１の光源１１及び／又は第２の光源１２の光量が時間に応じてランダムに変化することになる。
【０１１８】
光源制御部３は、刺激信号制御部９５により与えられた刺激信号、入力装置５からの入力信号、光量情報記憶部７に記憶してある光量情報に基づいて、第１の光源１１及び第２の光源１２夫々の光源調光用信号を生成し、生成された光源調光用信号に応じて第１の光源１１及び第２の光源１２夫々を駆動制御する。なお、光量情報記憶部７には、第１の光源１１及び第２の光源１２夫々の光量情報の初期設定値、刺激信号制御部９５により与えられた刺激信号と第１の光源１１及び第２の光源１２夫々の光量との対応関係を示す参照テーブルが記憶してある。その他の構成は、図２に示す実施の形態１と同様であるため、対応する構成要素に図２と同一の参照符号を付して、その構成及び動作の詳細な説明を省略する。
【０１１９】
図２３は、本実施の形態に係る照明装置３０の点灯制御の処理手順を示すフローチャートの一例である。本例は、被照射者に付与する光刺激の信号の波形を任意に変化させるとともに、光刺激付与の有無及び総光量を略一定に保持するか否かの選択が可能なように構成してある例である。光源制御部３は、入力装置５からの入力信号を取得し（ステップＳ５１）、ステップＳ５１において取得された入力信号に基づいて点灯指令中であるか否かを判定する（ステップＳ５２）。点灯指令中であるか否かは、電源が投入された状態において、入力装置５の電源スイッチから信号受信部４に与えられた直近の入力信号が点灯信号であるか消灯信号であるかにより判定される。
【０１２０】
ステップＳ５２において、点灯指令中であると判定された場合（ステップＳ５２：ＹＥＳ）、光量情報記憶部７から第１の光源１１及び第２の光源１２夫々の光量情報の初期設定値を読込む（ステップＳ５３）一方、ステップＳ５２において、点灯指令中でないと判定された場合（ステップＳ５２：ＮＯ）、第１の光源１１及び第２の光源１２を消灯し（ステップＳ５４）、ステップＳ５１に戻り一連の動作を繰り返す。
【０１２１】
ステップＳ５１において取得された入力信号に基づいて光刺激がオンであるか否かを判定する（ステップＳ５５）。光刺激がオンであるか否かは、電源が投入された状態において、入力装置５の光刺激切替スイッチから信号受信部４に与えられた入力信号がオン信号であるかオフ信号であるかにより判定される。ステップＳ５５において、光刺激がオンであると判定された場合（ステップＳ５５：ＹＥＳ）、ステップＳ５６に進む。一方、ステップＳ５５において、光刺激がオフであると判定された場合（ステップＳ５５：ＮＯ）、ステップＳ６３に進む。
【０１２２】
ステップＳ５１において取得された入力信号に基づいて刺激信号のパラメータがあるか否を判定する（ステップＳ５６）。刺激信号のパラメータの有無は、入力装置５の刺激設定スイッチからの入力信号に基づいて判定される。ステップＳ５６において、刺激信号のパラメータがあると判定された場合（ステップＳ５６：ＹＥＳ）、刺激信号のパラメータを与えられたパラメータに変更し（ステップＳ５７）、変更されたパラメータを刺激信号記憶部９２に記憶する。ステップＳ５６において刺激信号のパラメータがないと判定された場合（ステップＳ５６：ＮＯ）、パラメータの変更を行わずにステップＳ５８に進む。
【０１２３】
ステップＳ５７において変更された刺激信号のパラメータ又は刺激信号記憶部９２に記憶してある刺激信号のパラメータに基づいて、前述した如く刺激信号Ａを発生する（ステップＳ５８）。
【０１２４】
次に、ステップＳ５１において取得された入力信号に基づいて総光量一定がオンであるか否を判定する（ステップＳ５９）。総光量一定がオンであるか否かは、入力装置５の光量一定スイッチからの入力信号に基づいて判定される。ステップＳ５９において、総光量一定がオンであると判定された場合（ステップＳ５９：ＹＥＳ）、刺激信号Ｂを発生し（ステップＳ６０）、ステップＳ５８において発生された刺激信号Ａに基づいて第１の光源１１の光量情報の設定値を、ステップＳ６０において発生された刺激信号Ｂに基づいて第２の光源１２の光量情報の設定値を変更する（ステップＳ６１）。なお、刺激信号Ｂは、第１の光源１１及び第２の光源１２からの総光量を一定にするように、刺激信号Ａの出力値の増加分／減少分に対応して出力値が減少／増加するようにしてある。
【０１２５】
一方、ステップＳ５９において、総光量一定がオフであると判定された場合（ステップＳ５９：ＮＯ）、ステップＳ５８において発生された刺激信号Ａに基づいて第１の光源１１の光量情報の設定値を変更する（ステップＳ６２）。
【０１２６】
ステップＳ５３において読込まれた第１の光源１１及び第２の光源１２夫々の光量情報の初期設定値、ステップＳ６１又はステップＳ６２において変更された第１の光源１１及び／又は第２の光源１２夫々の光量情報の設定値に基づいて、光源調光用信号を生成する（ステップＳ６３）。
【０１２７】
ステップＳ６３において生成された光源調光用信号に応じて第１の光源１１及び第２の光源１２夫々を点灯して（ステップＳ６４）、照明装置３０の点灯制御の動作を終了する。
【０１２８】
このように構成された照明装置３０の光源部１に対する光源調光用信号は、照明装置３０の具体的な適用場所に応じて適切に設定される。この照明装置３０は、被照射者が複数おり、その被照射者全員が覚醒状態を維持したい場合に適用可能であり、例えば、実施の形態１の図１２に示すような会議室内に設置して用いることができる。図２４は、本実施の形態に係る照明装置３０の点灯及び光量の制御過程を示すタイミングチャートの一例であり、会議室内に設置して用いた場合を例に説明する。
【０１２９】
図２４（ａ）は第１の光源１１を、図２４（ｂ）は第２の光源１２を、図２４（ｃ）は第１の光源１１及び第２の光源１２からなる光源部１を夫々示しており、図２４（ａ）（ｂ）（ｃ）の横軸は時刻を、縦軸は光量を夫々示している。光源制御部３は、入力装置により与えられた電源スイッチからの入力信号及び刺激設定スイッチからの入力信号に基づいて生成された光源調光用信号に応じて、第１の光源１１及び第２の光源１２夫々を点灯する。刺激信号Ａ及び刺激信号Ｂに応じて変化する第１の光源１１及び／又は第２の光源１２の光量の波形は、図２４に示す如く、振幅及び周波数がランダムに変化する矩形波になる。
【０１３０】
会議の開始に伴う照明装置の点灯の動作により、第１の光源１１及び第２の光源１２が光量情報記憶部７に記憶された光量情報の初期設定値にて点灯する。例えば、会議の途中に小休止を設けて全員がリフレッシュをする場合に、「光刺激オン」及び「総光量一定オフ」を選択することにより、瞼の光透過率の高い光を発する第１の光源１１の光量がランダムに変化することになる。この結果、眼の開閉状態の如何に関わらず、被照射者全員の網膜上の光受容体にランダムに変化する光刺激が付与されるから、被照射者の眼が光刺激に慣れず、被照射者全員の眠気を抑制して、覚醒を促すことができる。
【０１３１】
会議中に眠気を感じている一部の被照射者にのみ光刺激を付与したい場合には、「光刺激オン」及び「総光量一定オン」を選択することにより、第１の光源１１及び第２の光源１２からの総光量を一定に保ちつつ、瞼の光透過率の高い光を発する第１の光源１１の光量がランダムに変化することになる。この結果、閉眼状態の被照射者にのみランダムな光刺激が付与されるから、閉眼状態の被照射者の開眼を促進できる。一方、開眼状態の被照射者の網膜上の光受容体に付与される光刺激量が常に略一定になるから、開眼状態の被照射者に違和感を与えずにすむ。この場合、メラトニンの分泌抑制の効果の高い光を発する第２の光源１２の光量もランダムに変化することになるから、開眼状態の被照射者に対して網膜上の光受容体の光刺激に対する順応を抑制することが可能となるため、まだ眠気を感じていない被照射者に対しても、意識させずに今後の眠気発生を抑止する効果も期待できる。
【０１３２】
なお、本実施の形態に係る照明装置３０に、実施の形態１及び２において述べた検出器６及び／又は時計装置８を組み合わせて用いてもよい。例えば、時計装置８と組み合わせる場合は、時計装置８により出力されるアラーム信号を刺激信号発生装置９に外部入力として与えることにより、刺激付与の開始時刻ｔ１及び終了時刻ｔ２に応じて、任意の刺激信号を発生させることが可能となる
【０１３３】
また、本実施の形態においては、刺激信号として、振幅及び周波数がランダムに変化する矩形波形の信号を発生しているが、これに限定されず、例えば、１／ｆゆらぎ信号を発生するようにしてもよい。１／ｆゆらぎは、そのパワースペクトルを対数表示して例えば最小二乗法等によりフィッティングした際に、そのフィッティングした直線の傾きが周波数ｆに対して１/（ｆn ）（ｎ＝０．９〜１．５）になるゆらぎであり、光量を１／ｆゆらぎにて変化させることにより人に快適感又はリラックス効果を与えることができることが知られている。
【０１３４】
図２４に示したタイミングチャートにおいて、振幅及び周波数がランダムに変化する矩形波形に従って光量を変化させる代わりに、１／ｆゆらぎに変化する波形に従って光量を変化させるように構成する。これにより、「光刺激オン」及び「総光量一定オフ」のときは、第１の光源１１の光量のみを１／ｆゆらぎ信号に応じて変化させ、第２の光源１２の光量を常に一定にするようにすることになり、眼の開閉状態の如何に関わらず、被照射者全員の網膜上の光受容体に１／ｆゆらぎ信号に応じて変化する光刺激が付与されるから、被照射者全員に対して同時に１／ｆゆらぎ信号による快適感又はリラックス効果を付与することができる。「光刺激オン」及び「総光量一定オン」のときは、第１の光源１１の光量の増加分だけ、第２の光源１２の光量を減少させるようにして、混光後の総光量が略一定になるようにしているから、閉眼状態の被照射者にのみ選択的に快適感又はリラックス効果を付与することができる。
【０１３５】
なお、刺激信号として、１／ｆゆらぎ信号を用いる場合は、例えば、光量一定スイッチに代えて、入力装置５に「全体リラックス」と「個別リラックス」という２つのモードの切替操作を受け付けるスイッチを設けておき、このスイッチ及び光刺激切替スイッチの切替操作に応じて前述した制御動作を行わせるように構成してもよい。また、光量一定スイッチと別に「全体リラックス」と「個別リラックス」という２つのモードの切替操作を受け付けるスイッチを設けて、「光刺激」のオン／オフと別に動作させるように構成してもよく、「光刺激」及び「総光量一定」のオン／オフを同時に制御できるように構成してもよい。
【０１３６】
通常、快適感又はリラックス効果は、緊張、興奮等による疲労を軽減する場合にその効果がより強く得られるものであるため、身体をできる限り楽な状態にして、刺激を付与することが望ましい。特に、１／ｆゆらぎ信号による光刺激を得るために、開眼状態の保持が必要とされて、眼が疲れてしまうようでは、せっかくの快適感やリラックス効果を十分に活用できないが、本実施の形態に係る照明装置を用いることにより、閉眼状態の被照射者に対して、１／ｆゆらぎ信号による快適感又はリラックス効果を付与することができるため、被照射者の心と身体の両方をリラックスさせることが可能となる。
【０１３７】
（実施の形態４）
図２５は、実施の形態４に係る照明装置４０の概略構成を示すブロック図であり、被照射者が１名の場合により効果の高い目覚まし効果を実現する構成例である。
【０１３８】
光源制御部３には、信号受信部４が接続してあり、信号受信部４には、入力装置５からの入力信号が無線又は有線にて与えられる。入力装置５は、例えば、照明装置を点灯／消灯する操作を受け付ける電源スイッチと、アラーム機能をオン／オフする操作、刺激付与を開始する時刻、刺激付与を終了する時刻等の刺激付与情報を入力する操作を含むアラームの設定操作を受け付けるアラーム設定スイッチと、光刺激を付与するか否かを切替える操作を受け付ける光刺激切替スイッチと、発生する刺激の種類及び／又は大きさの設定操作を受け付ける刺激設定スイッチと、これらのスイッチの操作に応じた信号の送信を行う信号送信部５ａとを備えてなる。なお、入力装置５は、光源部１の光色及び／又は光量を変更する操作を受け付けるように構成してもよい。
【０１３９】
また、光源制御部３には、時計装置８及び刺激信号発生装置９が接続してある。時計装置８の構成は、図１５に示す実施の形態２と同様であるため、内部の構成及び動作の説明を省略する。刺激信号発生装置９の構成は、図２２に示す実施の形態３と同様であるため、内部の構成及び動作の説明を省略する。本実施の形態においては、時計装置８より与えられる刺激付与情報である刺激付与の開始時刻ｔ１及び終了時刻ｔ２を刺激信号発生装置９のトリガー信号として用いている。刺激信号発生装置９は、２チャンネルの出力信号を出力可能なように構成してあり、発生された２種類の刺激信号を光源制御部３に与える。
【０１４０】
光源制御部３は、時計制御部８３により与えられた時間情報及び刺激付与情報、刺激信号制御部９５により与えられた刺激信号、入力装置５からの入力信号、光量情報記憶部７に記憶してある光量情報に基づいて、第１の光源１１及び第２の光源１２夫々の光源調光用信号を生成し、生成された光源調光用信号に応じて第１の光源１１及び第２の光源１２夫々を駆動制御する。その他の構成は、図２に示す実施の形態１と同様であるため、対応する構成要素に図２と同一の参照符号を付して、その構成の詳細な説明を省略する。
【０１４１】
照明装置４０の点灯制御の処理手順は、光量情報の設定値変更の手順及び内容以外は、図１６に示す実施の形態２と同様であるため、フローチャート及びその説明を省略する。
【０１４２】
図２６は、本実施の形態に係る照明装置４０の光量情報の設定値変更の手順を示すフローチャートの一例である。本例は、被照射者に快適な起床を促すべく、１／ｆゆらぎに応じて光量を変化させるように構成してある例である。現在時刻ｔが刺激付与時間である（ｔ１≦ｔ＜ｔ２）場合に、刺激信号発生装置９の刺激信号制御部９５は、１／ｆゆらぎ信号を発生し、発生された１／ｆゆらぎ信号を光源制御部３に与える（ステップＳ７１）。
【０１４３】
光源制御部３は、入力装置５からの入力信号に基づいて起床前の光刺激オンであるか否かを判定する（ステップＳ７２）。起床前の光刺激オンであるか否かは、電源が投入された状態において、入力装置５の刺激設定スイッチから信号受信部４に与えられた入力信号がオン信号であるかオフ信号であるかにより判定される。
【０１４４】
ステップＳ７２において、起床前の光刺激がオンであると判定された場合（ステップＳ７２：ＹＥＳ）、ステップＳ７１において発生された１／ｆゆらぎ信号に基づいて第１の光源１１の光量情報の設定値を変更して（ステップＳ７３）、リターンして光量情報の設定値変更の動作を終了する。
【０１４５】
一方、ステップＳ７２において、起床前の光刺激がオフであると判定された場合（ステップＳ７２：ＮＯ）、ステップＳ７１において発生された１／ｆゆらぎ信号に基づいて第２の光源１２の光量情報の設定値を変更して（ステップＳ７４）、リターンして光量情報の設定値変更の動作を終了する。
【０１４６】
光源制御部３は、第１の光源１１及び第２の光源１２夫々の光量情報の初期設定値及び／又はステップＳ７３若しくはステップＳ７４において変更された第１の光源１１又は第２の光源１２の光量情報の設定値に基づいて、光源調光用信号を生成し、生成された光源調光用信号に応じて第１の光源１１及び第２の光源１２夫々を駆動制御する。
【０１４７】
以上のように照明装置４０の点灯制御を行うことにより、起床前の光刺激がオンである場合、瞼の光透過率の高い光を発する第１の光源１１の光量を１／ｆゆらぎに応じて変化させているから、閉眼状態の被照射者に１／ｆゆらぎの光刺激が与えられることになり、快適感を与えることができる。一方、起床前の光刺激がオフである場合、メラトニンの分泌抑制の効果の高い光を発する第２の光源１２の光量を１／ｆゆらぎに応じて変化させているから、開眼状態の被照射者に１／ｆゆらぎの光刺激が与えられることになり、快適感を与えることができる。この場合、第１の光源１１は、例えば一定光量にて点灯しており、第１の光源１１からの瞼の光透過率の高い光により被照射者の開眼が促され、開眼状態において１／ｆゆらぎの光刺激により被照射者に快適感を与えることができるから、自然に開眼状態に移行を誘導することが可能となる。
【０１４８】
図２７は、本実施の形態に係る照明装置４０の光量情報の設定値変更の手順を示すフローチャートの他の例である。本例は、被照射者に起床を強く促すべく、白色雑音及び１／ｆゆらぎに応じて光量を変化させるように構成してある例である。なお、１／ｆゆらぎは、前述したように、そのパワースペクトルを対数表示して例えば最小二乗法等によりフィッティングした際に、そのフィッティングした直線の傾きが周波数ｆに対して１/（ｆn ）（ｎ＝０．９〜１．５）になるゆらぎであり、光量を１／ｆゆらぎにて変化させることにより人に快適感又はリラックス効果を与えることができることが知られている。一方、白色雑音は、１/（ｆn ）の（ｎ≒０）になるゆらぎであり、そのゆらぎはほとんど無秩序であり、人に不快感を与える雑音であることが知られている。
【０１４９】
現在時刻ｔが刺激付与時間である（ｔ１≦ｔ＜ｔ２）場合に、刺激信号発生装置９の刺激信号制御部９５は、１／ｆゆらぎ信号及び白色雑音信号を発生する（ステップＳ８１）。刺激信号制御部９５は、ステップＳ８１において発生された白色雑音信号を信号Ａとし、同じくステップＳ８１において発生された１／ｆゆらぎ信号から白色雑音信号を減算した信号を信号Ｂとし、信号Ａ及び信号Ｂを光源制御部３に与える（ステップＳ８２）。
【０１５０】
光源制御部３は、ステップＳ８２において求められた信号Ａ及び信号Ｂに基づいて第１の光源１１及び第２の光源１２の光量情報の設定値を変更して（ステップＳ８３）、リターンして光源情報の設定値変更の動作を終了する。
【０１５１】
光源制御部３は、第１の光源１１及び第２の光源１２夫々の光量情報の初期設定値及び／又はステップＳ８３において変更された第１の光源１１及び第２の光源１２の光量情報の設定値に基づいて、光源調光用信号を生成し、生成された光源調光用信号に応じて第１の光源１１及び第２の光源１２夫々を駆動制御する。
【０１５２】
以上のように照明装置４０の点灯制御を行うことにより、閉眼状態の被照射者に白色雑音信号に応じて変化する高光透過率の光刺激が付与され、開眼状態の被照射者に１／ｆゆらぎ信号に応じて変化するメラトニンの分泌抑制の効果の高い光刺激が付与される。この結果、閉眼状態においては不快な光刺激が、開眼状態においては快適な光刺激が被照射者に付与されることになり、被照射者の覚醒をさらに効果的に促すことができる。
【０１５３】
図２８は、本実施の形態に係る照明装置４０の配置構成の一例を示す模式図である。本実施の形態に係る照明装置４０は、例えば、図２８に示すような一人用の寝室において好適に用いることができる。
【０１５４】
以上の実施の形態において、光源部１は、閉眼状態の被照射者に光刺激を与えるべく、第１の波長域の分光成分を有する光を発する第１の光源１１と、開眼状態の被照射者に光刺激を与えるべく、前記第１の波長域と異なる第２の波長域の分光成分を有する光を発する第２の光源１２とを有しているが、光源は１つであってもよい。
【０１５５】
例えば、１つの光源が、波長域が異なる光を発する複数の発光素子を有し、当該複数の発光素子の発光強度を制御することによって、光源の分光成分を、被照射者の閉眼時においては、照射される光の瞼の透過性が開眼時と比較して高くなるように制御することによって、被照射者の眼の開閉状態に関わらず、被照射者に光刺激を付して覚醒を促すことが可能である。当該光源としては、例えば図７に示すような、異なる色の複数のＬＥＤをパッケージしたＬＥＤモジュールがある。
【０１５６】
なお、以上の実施の形態においては、光源としてＬＥＤを用いているが、これに限定されず、ＥＬ（Ｅｌｅｃｔｒｏ  Ｌｕｍｉｎｅｓｃｅｎｃｅ）、蛍光灯、電球等を用いてもよい。
【０１５７】
また、本発明は、その他、特許請求の範囲に記載した事項の範囲内において種々変更した形態にて実施することが可能であることは言うまでもない。
【図面の簡単な説明】
【０１５８】
【図１】本発明の実施の形態１に係る照明装置の構成を示す模式図である。
【図２】本実施の形態に係る照明装置の概略構成を示すブロック図である。
【図３】第１の光源に好適に用いることができる光源の例である。
【図４】第１の光源に好適に用いることができる光源の例である。
【図５】明所視と暗所視の分光視感効率を示す図である。
【図６】瞼の光透過率を考慮した分光視感効率を示す図である。
【図７】第１の光源に好適に用いることができる光源の例である。
【図８】第２の光源に用いることができる光源の例である。
【図９】本実施の形態に係る照明装置の点灯制御の処理手順を示すフローチャートの一例である。
【図１０】車両に搭載された本実施の形態に係る照明装置の配置構成を示す模式図である。
【図１１】車両に搭載された本実施の形態に係る照明装置の点灯及び光量の制御過程を示すタイミングチャートの一例である。
【図１２】会議室内に設置された本実施の形態に係る照明装置の配置構成を示す模式図である。
【図１３】会議室内に設置された本実施の形態に係る照明装置の点灯及び光量の制御過程を示すタイミングチャートの一例である。
【図１４】本実施の形態に係る照明装置に適用可能な検出器の具体例である。
【図１５】本発明の実施の形態２に係る照明装置の概略構成を示すブロック図である。
【図１６】本実施の形態に係る照明装置の点灯制御の処理手順を示すフローチャートの一例である。
【図１７】光量情報の設定値変更の手順を示すフローチャートである。
【図１８】目覚まし時計に本実施の形態に係る照明装置を適用した例を示す図である。
【図１９】本実施の形態に係る照明装置の点灯及び光量の制御過程を示すタイミングチャートの一例である。
【図２０】本実施の形態に係る照明装置の点灯及び光量の制御過程を示すタイミングチャートの他の例である。
【図２１】本実施の形態に係る照明装置の点灯及び光量の制御過程を示すタイミングチャートの他の例である。
【図２２】実施の形態３に係る照明装置の概略構成を示すブロック図である。
【図２３】本実施の形態に係る照明装置の点灯制御の処理手順を示すフローチャートの一例である。
【図２４】本実施の形態に係る照明装置の点灯及び光量の制御過程を示すタイミングチャートの一例である。
【図２５】実施の形態４に係る照明装置の概略構成を示すブロック図である。
【図２６】本実施の形態に係る照明装置の光量情報の設定値変更の手順を示すフローチャートの一例である。
【図２７】本実施の形態に係る照明装置の光量情報の設定値変更の手順を示すフローチャートの他の例である。
【図２８】本実施の形態に係る照明装置の配置構成の一例を示す模式図である。
【図２９】夜間の受光によるメラトニンの分泌抑制の波長特性を示す図である。
【図３０】瞼の光透過率の波長特性を示す図である。
【符号の説明】
【０１５９】
１  光源部（複数の光源）
１１  第１の光源
１２  第２の光源
３  光源制御部（制御手段）
６  検出器（検出手段）
８  時計装置（時計手段）
９  刺激信号発生装置（刺激信号発生手段）
【図１】
2009266484.tif 000003
【図２】
2009266484.tif 000004
【図３】
2009266484.tif 000005
【図４】
2009266484.tif 000006
【図５】
2009266484.tif 000007
【図６】
2009266484.tif 000008
【図７】
2009266484.tif 000009
【図８】
2009266484.tif 000010
【図９】
2009266484.tif 000011
【図１０】
2009266484.tif 000012
【図１１】
2009266484.tif 000013
【図１２】
2009266484.tif 000014
【図１３】
2009266484.tif 000015
【図１４】
2009266484.tif 000016
【図１５】
2009266484.tif 000017
【図１６】
2009266484.tif 000018
【図１７】
2009266484.tif 000019
【図１８】
2009266484.tif 000020
【図１９】
2009266484.tif 000021
【図２０】
2009266484.tif 000022
【図２１】
2009266484.tif 000023
【図２２】
2009266484.tif 000024
【図２３】
2009266484.tif 000025
【図２４】
2009266484.tif 000026
【図２５】
2009266484.tif 000027
【図２６】
2009266484.tif 000028
【図２７】
2009266484.tif 000029
【図２８】
2009266484.tif 000030
【図２９】
2009266484.tif 000031
【図３０】
2009266484.tif 000032